(57)【要約】      （修正有）【課題】パレット搬送時に発生する騒音および振動を低減するパレットコンベアを提供する。【解決手段】パレットコンベアは、循環移動可能に配置される無端チェーン１０と、無端チェーン１０に回転駆動を付与してこれを循環移動させる回転駆動付与手段と、被搬送物を載置する載荷板３１と、この載荷板３１の下面に取付けられて、かつ無端チェーン１０の延びる方向に沿うようにして載置されるレール３２から成るパレット３０とを備えるパレットコンベアにおいて、前記載荷板３１の下面に溝３３を形成して、この溝３３には緩衝材３６を介してレール３２が嵌合されていることを特徴とする。【選択図】図３
2010228886.tif 000002
【特許請求の範囲】
【請求項１】
循環移動可能に配置される無端チェーンと、無端チェーンに回転駆動を付与してこれを循環移動させる回転駆動付与手段と、被搬送物を載置する載荷板と、この載荷板の下面に取付けられて、かつ無端チェーンの延びる方向に沿うようにして載置されるレールから成るパレットとを備えるパレットコンベアにおいて、
前記載荷板の下面に溝を形成して、この溝には緩衝材を介してレールが嵌合されていることを特徴とするパレットコンベア。
【請求項２】
前記レールが載荷板の上面からねじで固定されるとともに、当該ねじの脚部にはカラーが挿入されていることを特徴とする請求項１に記載のパレットコンベア。
【発明の詳細な説明】
【技術分野】
【０００１】
本発明は、無端チェーン搬送式のパレットコンベアにおいて、パレット搬送時の騒音及び振動を低減するパレットコンベアに関する。
【背景技術】
【０００２】
従来から、無端チェーン搬送式のパレットコンベアとしては、特許文献１（実開平０５−０８５７１９号公報）に示すものがある。このパレットコンベアは、パレットの下面にレールを設けて、無端チェーンに当該レールを沿わすようにして載置されている。そして、無端チェーンの回転駆動に伴い、パレットが搬送されるように構成されている。
【先行技術文献】
【特許文献】
【０００３】
【特許文献１】実開平０５−０８５７１９号公報
【発明の概要】
【発明が解決しようとする課題】
【０００４】
しかしながら、前記パレットコンベアにおいては、レールの取付け方法として、ねじ止めされるのが一般的であり、これだけでは、パレットの搬送中、騒音および振動が大きくなる問題を有していた。
【０００５】
本発明のパレットコンベアは、上記課題に鑑みて創成されたものであり、パレット搬送時に発生する騒音および振動を低減するパレットコンベアを提供することを目的とする。
【課題を解決するための手段】
【０００６】
本発明のパレットコンベアは、循環移動可能に配置される無端チェーンと、無端チェーンに回転駆動を付与してこれを循環移動させる回転駆動付与手段と、被搬送物を載置する載荷板と、この載荷板の下面に取付けられて、かつ無端チェーンの延びる方向に沿うようにして載置されるレールから成るパレットとを備えるパレットコンベアにおいて、前記載荷板の下面に溝を形成して、この溝には緩衝材を介してレールが嵌合され、固定されていることを特徴とする。
【０００７】
また、前記レールが載荷板の上面からねじで固定されるとともに、当該ねじの脚部にはカラーが挿入されていることを特徴とする。
【発明の効果】
【０００８】
請求項１に記載の発明によれば、緩衝材の伸縮作用により、パレットの搬送中、騒音および振動を低減することができる。
【０００９】
請求項２に記載の発明によれば、レールを固定するねじの脚部にカラーが挿入されているので、レールを溝に取付ける組立て作業段階、あるいはパレットの搬送中の振動等の影響により、レールが溝の底面と接触する方向に締付けられない。そのため、レールと溝の底面との間に隙間を設けることができ、この隙間に緩衝材を介在させ、当該緩衝材の伸縮作用を確実に発揮させることができる。つまり、レールのフローティング作用を確実に発揮することができる。
【図面の簡単な説明】
【００１０】
【図１】本発明のパレットコンベアの側面視要部断面図である。
【図２】図１のＡ−Ａ線拡大断面図である。
【図３】図２の要部拡大図である。
【発明を実施するための形態】
【実施例】
【００１１】
以下、本発明を実施するための最良の形態を図面に基づいて説明する。図１において、１はパレットコンベアであり、パレット３０が載置され、これを搬送する無端チェーン１０と、フレーム３に取付けらて、当該無端チェーン１０を案内するガイドレール２０と、回転駆動手段（図示せず）の駆動に伴って回転する駆動軸４と一体に回転し、無端チェーン１０に噛合して回転駆動を付与する回転駆動付与手段の一例であるスプロケット５とから構成されている。なお、図１には、無端チェーン１０が１列しか図示されていないが、本発明のパレットコンベア１は、当該無端チェーン１０を平行に２列配置して、これらにパレット３０を載置するように構成されている。
【００１２】
前記無端チェーン１０は、図２および図３に示すように、内外リングプレート１１，１２と、これらを連結するピン１３と、このピン１３に回転可能に軸支され、かつパレット３０が載置されるローラ１４と、当該ピン１３とローラ１４との間に介在するブッシュ１５とから構成されている。
【００１３】
前記ガイドレール２０は、図１に示すように、無端チェーン１０の内輪側において、パレット３０の搬送路に平行な送り側（矢印Ｙ方向）の水平部に配設される水平ガイドレール２１と、パレット３０の搬送最終端側の湾曲部に配置される湾曲ガイドレール２２とから構成されている。また、前記無端チェーン１０の外輪側において、パレットの搬送路に平行な戻り側（矢印Ｘ方向）の水平部にはサブガイドレール２３が当該無端チェーン１０を案内するように配置されている。
【００１４】
前記湾曲ガイドレール２２は、無端チェーン１０の湾曲部に沿う外周を有するブロック部材であるが、これに代えて当該湾曲部に沿うレール状に構成されてもよい。ただし、ブロック状に形成することにより、レール状に形成されたものに比べて強度が増す。
【００１５】
また、水平ガイドレール２１と湾曲ガイドレール２２には、所定の隙間Ｈが空けられている。このように隙間Ｈを設けることにより、無端チェーン１０に過度のテンションが加わるのを防ぎ、無端チェーン１０の破損を防止する。
【００１６】
前記パレット３０は、図２および図３に示すように、ワーク等が載荷される載荷板３１と、この載荷板３１の背面に設けられ、かつ無端チェーン１０の長手方向に延びて当該無端チェーン１０のローラ１４に沿うように載置されるレール３２とを有している。このパレット３０の載荷板３１には、背面に、長手方向に延びる溝３３が削設されており、この溝３３には前記レール３２が嵌合されている。また、この溝３３の底面３３ａとレール３２との間には緩衝材３６が介在しており、この状態で、レール３２が載荷板３１の上面から３箇所をねじ３４によって当該載荷板３１に取付けられている。しかも、このねじ３４の脚部３４ａにはカラー３５が挿入されており、レール３２を溝３３に嵌合させた状態でねじ止めする際、緩衝材３６が圧縮されてしまい、レール３２が溝３３の底面３３ａに対して、締付けられるのを防止するように構成されている。つまり、レール３２が載荷板３１に対して所謂フローティング機能を有するように取付けられている。
【００１７】
前記ローラ１４の径は、図２および図３に示すように、前記内外リングプレート１１，１２の縦方向の幅よりも小さく形成されている。そのため、無端チェーン１０は、長手方向に沿って、ガイドレール２０およびパレット３０のレール３２が嵌合するように構成されている。
【００１８】
前述のような構成のパレットコンベア１においては、駆動源の駆動によりスプロケット５が回転すると、無端チェーン１０は矢印Ｙ方向に循環し、これに伴い、無端チェーン１０に載置されたパレット３０が移送される。このとき、無端チェーン１０のローラ１４は、水平ガイドレール２１、湾曲ガイドレール２２およびサブガイドレール２３上を転動するので、パレット１０の搬送速度が倍速化する。その後、パレット３０は搬送最終端に到達し、ここに連設されたコンベア４０に移載される。このとき、本発明のパレットコンベア１は、無端チェーン１０の内輪において、湾曲部に、湾曲ガイドレール２２を備える構成により、パレット３０の搬送速度の倍速化が搬送最終端まで持続する。そのため、コンベア間のパレット３０の移載に際し、移載中、パレット３０が停止してしまうような問題は皆無となり、パレット３０の移載を確実に行うことが可能となる。
【００１９】
また、本発明のパレットコンベア１においては、パレット３０の搬送中に発生する騒音および振動は、緩衝材３６の伸縮作用により低減される。しかも、ねじ３４の脚部３４ａにカラー３５が挿入されているので、ねじ３４でレール３２を溝３３に取付ける組立て作業段階、あるいはパレット３０の搬送中の振動等の影響により、レール３２が溝３３の底面３３ａと接触する方向に締付けられない。そのため、レール３２と溝３３の底面３３ａとの間に隙間が形成され、この隙間に緩衝材３６を介在させて、当該緩衝材３６の伸縮作用を確実に発揮することができる。つまり、レール３２のフローティング作用を確実に発揮することができる。
【符号の説明】
【００２０】
１  パレットコンベア
３  フレーム
４  駆動軸
５  スプロケット
１０  無端チェーン
１１  内リングプレート
１２  外リングプレート
１３  ピン
１４  ローラ
１５  ブッシュ
２０  ガイドレール
２１  水平ガイドレール
２２  湾曲ガイドレール
２３  サブガイドレール
３０  パレット
３１  載荷板
３２  レール
３３  溝
３３ａ  底面
３４  ねじ
３４ａ  脚部
３５  カラー
３６  緩衝材
【図１】
2010228886.tif 000003
【図２】
2010228886.tif 000004
【図３】
2010228886.tif 000005